(57)【要約】【課題】  本体の表示画面及び／又は外部の表示画面に操作パネルを表示する場合に、できるだけ鑑賞の邪魔にならないように且つ操作パネルの存在をユーザに知らしめるための技術を提供すること。【解決手段】  画像処理装置に対して操作入力を行った機器の種別に応じて、画像処理装置に接続されている外部装置の表示画面に対する操作パネルの出力の可否を制御する。【選択図】  図１
2016009206.tif 000002
【特許請求の範囲】
【請求項１】
画像処理装置であって、
前記画像処理装置に対して操作入力を行った機器の種別に応じて、前記画像処理装置に接続されている外部装置の表示画面に対する操作パネルの出力の可否を制御する制御手段を備えることを特徴とする画像処理装置。
【請求項２】
前記制御手段は、
前記画像処理装置の表示画面を介して前記操作入力がなされた場合には、前記外部装置に対して前記操作パネルは出力しないことを特徴とする請求項１に記載の画像処理装置。
【請求項３】
前記制御手段は、
前記画像処理装置用のリモコンを用いて前記操作入力がなされた場合には、前記外部装置に対して前記操作パネルを出力することを特徴とする請求項１又は２に記載の画像処理装置。
【請求項４】
前記制御手段は、
前記画像処理装置と前記外部装置との間の接続が有線接続であり、且つ前記画像処理装置用のリモコンを用いて前記操作入力がなされた場合には、前記外部装置に対して前記操作パネルを出力し、
前記画像処理装置と前記外部装置との間の接続が無線接続であり、且つ前記画像処理装置用のリモコンを用いて前記操作入力がなされた場合には、前記外部装置に対して前記操作パネルは出力しない
ことを特徴とする請求項３に記載の画像処理装置。
【請求項５】
前記制御手段は、
前記外部装置用のリモコンを用いて前記操作入力がなされた場合には、前記外部装置に対して前記操作パネルを出力することを特徴とする請求項１乃至４の何れか１項に記載の画像処理装置。
【請求項６】
画像処理装置であって、
前記画像処理装置の表示画面及び該画像処理装置に接続されている外部装置の表示画面に表示する操作パネルの透明度を、前記画像処理装置に対して操作入力を行った機器の種別に応じて制御する制御手段を備えることを特徴とする画像処理装置。
【請求項７】
前記制御手段は、
前記画像処理装置の表示画面を介して前記操作入力がなされた場合には、前記画像処理装置の表示画面に表示する操作パネルを不透明にし、前記外部装置の表示画面に表示する操作パネルを半透明にすることを特徴とする請求項６に記載の画像処理装置。
【請求項８】
前記制御手段は、
前記画像処理装置と前記外部装置との間の接続が有線接続であり、且つ前記画像処理装置用のリモコンを用いて前記操作入力がなされた場合には、前記画像処理装置の表示画面に表示する操作パネル及び前記外部装置の表示画面に表示する操作パネルを不透明にし、
前記画像処理装置と前記外部装置との間の接続が無線接続であり、且つ前記画像処理装置用のリモコンを用いて前記操作入力がなされた場合には、前記画像処理装置の表示画面に表示する操作パネルを不透明にし、前記外部装置の表示画面に表示する操作パネルを半透明にする
ことを特徴とする請求項６又は７に記載の画像処理装置。
【請求項９】
前記制御手段は、
前記外部装置用のリモコンを用いて前記操作入力がなされた場合には、前記画像処理装置の表示画面に表示する操作パネルを半透明にし、前記外部装置の表示画面に表示する操作パネルを不透明にすることを特徴とする請求項６乃至８の何れか１項に記載の画像処理装置。
【請求項１０】
前記操作入力は、前記画像処理装置の表示画面及び前記外部装置の表示画面に表示する動画像を選択するための操作入力であることを特徴とする請求項１乃至９の何れか１項に記載の画像処理装置。
【請求項１１】
前記操作入力は、前記画像処理装置の表示画面及び前記外部装置の表示画面に動画像を表示している間の操作入力であることを特徴とする請求項１乃至９の何れか１項に記載の画像処理装置。
【請求項１２】
画像処理装置が行う画像処理方法であって、
前記画像処理装置の制御手段が、前記画像処理装置に対して操作入力を行った機器の種別に応じて、前記画像処理装置に接続されている外部装置の表示画面に対する操作パネルの出力の可否を制御することを特徴とする画像処理方法。
【請求項１３】
画像処理装置が行う画像処理方法であって、
前記画像処理装置の制御手段が、前記画像処理装置の表示画面及び該画像処理装置に接続されている外部装置の表示画面に表示する操作パネルの透明度を、前記画像処理装置に対して操作入力を行った機器の種別に応じて制御することを特徴とする画像処理方法。
【請求項１４】
コンピュータを、請求項１乃至１１の何れか１項に記載の画像処理装置の制御手段として機能させるためのコンピュータプログラム。
【発明の詳細な説明】
【技術分野】
【０００１】
本発明は、映像再生技術に関するものである。
【背景技術】
【０００２】
従来から、スマートフォンやデジタルカメラ等のコンテンツ再生装置においては、閲覧可能な内容のリスト表示を行い、表示されたリストの中から再生する映像を選択して動画の再生を行うようにしている。コンテンツ再生装置には、液晶パネル等の表示装置が搭載されており、該表示装置にて再生を行えるように構成されているとともに、テレビモニタなどのような外部の表示装置に映像を出力して表示するための外部出力端子も備えている。
【０００３】
このようなコンテンツ再生装置におけるグラフィカルユーザインターフェース（ＧＵＩ）においては、ユーザの遠隔操作指示によって、表示されている動画に重畳して、メニュー項目が表示される技術が提案されている（特許文献１）。
【０００４】
また、ユーザからの操作指示に応じて、本体に付属する表示装置と、外部の表示装置にデータを出力する再生装置に、操作パネルを重畳して表示することで、ユーザが再生している動画を、所望の動作モードで操作を行うことができる。しかしながら、操作パネルには、複数の動作モードの項目が配置されており、そのため、画面上に占める操作パネルの面積が大きくなるので、画面上に本来表示すべき映像の邪魔になることがある。そこで、このような事情を考慮してなされた方法として、操作パネルを一定時間後に非表示にする技術が提案されている（特許文献２）。
【先行技術文献】
【特許文献】
【０００５】
【特許文献１】特開2008-160240号公報
【特許文献２】特開2006-094431号公報
【発明の概要】
【発明が解決しようとする課題】
【０００６】
しかしながら、上記従来例では、本体表示装置と外部表示装置の両方で再生開始を行ったときに操作パネルを表示してしまっているため、再生開始時における鑑賞の妨げになってしまっている。また、これを解決するために操作パネルを非表示にしてしまうと、ユーザが操作パネルの有無に気付かない恐れがある。また、操作パネルを片方のみにしか表示しない場合は、操作パネルが表示されていない画面を見ながら操作パネルによる操作を行うことができない恐れがある。
【０００７】
本発明はこのような問題に鑑みてなされたものであり、本体の表示画面及び／又は外部の表示画面に操作パネルを表示する場合に、できるだけ鑑賞の邪魔にならないように且つ操作パネルの存在をユーザに知らしめるための技術を提供する。
【課題を解決するための手段】
【０００８】
本発明の一様態は、画像処理装置であって、前記画像処理装置に対して操作入力を行った機器の種別に応じて、前記画像処理装置に接続されている外部装置の表示画面に対する操作パネルの出力の可否を制御する制御手段を備えることを特徴とする。
【発明の効果】
【０００９】
本発明の構成によれば、本体の表示画面及び／又は外部の表示画面に操作パネルを表示する場合に、できるだけ鑑賞の邪魔にならないように且つ操作パネルの存在をユーザに知らしめることができる。
【図面の簡単な説明】
【００１０】
【図１】デジタルビデオカメラ１００のハードウェア構成例を示すブロック図。
【図２】動画像選択画面の表示例を示す図。
【図３】表示部１０６の表示画面上におけるサムネイル画像の選択例を示す図。
【図４】表示部１０６及び表示装置における表示例を示す図。
【図５】表示部１０６及び表示装置における表示例を示す図。
【図６】表示部１０６及び表示装置における表示例を示す図。
【図７】デジタルビデオカメラ１００と表示装置７５０との接続形態を説明する図。
【図８】デジタルビデオカメラ１００と表示装置７５０との接続形態を説明する図。
【図９】デジタルビデオカメラ１００が行う処理のフローチャート。
【図１０】デジタルビデオカメラ１００が行う処理のフローチャート。
【図１１】デジタルビデオカメラ１００が行う処理のフローチャート。
【発明を実施するための形態】
【００１１】
以下、添付図面を参照し、本発明の好適な実施形態について説明する。なお、以下説明する実施形態は、本発明を具体的に実施した場合の一例を示すもので、特許請求の範囲に記載した構成の具体的な実施例の１つである。
【００１２】
［第１の実施形態］
本実施形態では、画像処理装置をデジタルビデオカメラに適用した場合において、該デジタルビデオカメラに接続されている外部装置に対する、該デジタルビデオカメラにおいて表示されている操作パネルの出力の可否の制御について説明する。先ず、本実施形態に係る画像処理装置としてのデジタルビデオカメラ１００のハードウェア構成例について、図１のブロック図を用いて説明する。なお、図１に示した構成はデジタルビデオカメラ１００の全ての構成を示しているわけではない。
【００１３】
撮像部１０１は、フォーカスレンズを含む撮像レンズ、絞り、光学像をアナログ画像信号に変換するＣＣＤ若しくはＣＭＯＳ素子、アナログ画像信号をデジタル画像信号に変換するＡ／Ｄ変換器を含む。即ち、撮像部１０１は、撮像対象の光学像をデジタル画像信号（撮像画像）として取得するためのものであり、該取得した撮像画像は後段の映像処理部１０２に送出される。
【００１４】
映像処理部１０２は、入力された撮像画像に対して拡大／縮小処理や色変換処理等の様々な画像処理を施す。また、映像処理部１０２は、撮像部１０１からの撮像画像を用いて規定の演算処理を行い、該演算処理の結果をシステム制御部１０４に対して送出する。これによりシステム制御部１０４は、該演算処理の結果に基づいて撮像部１０１に対する露光制御、測距制御を行うことができ、これにより、ＡＦ（オートフォーカス）処理、ＡＥ（自動露出）処理を実現させることができる。また、映像処理部１０２は、撮像部１０１からの撮像画像を用いて規定の演算処理を行い、該演算処理の結果を用いて、ＡＷＢ（オートホワイトバランス）処理を行うこともできる。
【００１５】
ＣＯＤＥＣ１１９は、入力された撮像画像（動画像を構成する各フレームの画像）に対してＭＰＥＧ２やＨ．２６４等の動画圧縮方式で圧縮符号化を行って圧縮符号化済みの動画像を生成する、所謂エンコード機能を有する。また、ＣＯＤＥＣ１１９は、入力された圧縮符号化済みの動画像を復号して各フレームの画像を生成する、所謂デコード機能を有する。
【００１６】
メモリ制御部１０３は主に、メモリ１０５に対するデータの読み書き制御を行う。
【００１７】
なお、デジタルビデオカメラ１００に対して撮像指示が入力されてから撮像終了指示が入力されるまでの間に映像処理部１０２、ＣＯＤＥＣ１１９、メモリ制御部１０３のそれぞれの基本動作については次の通りである。
【００１８】
映像処理部１０２は、撮像部１０１から順次送出された各フレームの撮像画像に対して上記のような画像処理を行い、画像処理済みの撮像画像をＣＯＤＥＣ１１９に対して送出する。ＣＯＤＥＣ１１９は、映像処理部１０２から順次送出された各フレームの撮像画像に対して圧縮符号化処理を行って圧縮符号化済みの動画像を生成し、該生成した圧縮符号化済みの動画像をメモリ制御部１０３に対して送出する。メモリ制御部１０３は、ＣＯＤＥＣ１１９から送出された圧縮符号化済みの動画像をメモリ１０５に格納する。即ち、撮像指示が入力されると、撮像部１０１により撮像された各フレームの撮像画像は、ＣＯＤＥＣ１１９により圧縮符号化され、圧縮符号化済みの動画像としてメモリ１０５に記録される。なお、映像処理部１０２による画像処理済みの撮像画像は、メモリ制御部１０３にも送出され、メモリ制御部１０３は、この画像処理済みの撮像画像を表示部１０６に表示させる。また、メモリ１０５には、ＣＯＤＥＣ１１９による圧縮符号化済みのデータに加え、撮像部１０１による撮像時の位置情報などの付帯情報を格納するようにしても構わない。
【００１９】
またデジタルビデオカメラ１００に対して動画像再生指示が入力された場合における映像処理部１０２、ＣＯＤＥＣ１１９、メモリ制御部１０３のそれぞれの基本動作については次の通りである。
【００２０】
メモリ制御部１０３は、メモリ１０５に格納されている圧縮符号化済みの動画像を読み出してＣＯＤＥＣ１１９に対して送出する。ＣＯＤＥＣ１１９は、メモリ制御部１０３から受けた圧縮符号化済みの動画像に対して復号処理を行って各フレームの画像を生成し、該生成した各フレームの画像を順次映像処理部１０２に対して送出する。映像処理部１０２は、ＣＯＤＥＣ１１９から受けたそれぞれのフレームの画像に対して適宜画像処理を施してからメモリ制御部１０３に対して送出する。メモリ制御部１０３は、映像処理部１０２から受けたそれぞれのフレームの画像を順次表示部１０６に対して送出する。即ち、動画像再生指示が入力されると、メモリ１０５に格納されている圧縮符号化済みの動画像は復号されて、表示部１０６に表示される。
【００２１】
表示部１０６は、例えば、液晶画面であり、メモリ制御部１０３から送出された各フレームの画像や、アイコンやタイムコード等のＯＳＤ（オンスクリーンディスプレイ）、後述する動画像選択画面などを表示することができる。
【００２２】
不揮発性メモリ１０７は、電気的に消去・記録可能なメモリであり、例えばＥＥＰＲＯＭ等が用いられる。不揮発性メモリ１０７には、デジタルビデオカメラ１００が行うものとして後述する各処理をシステム制御部１０４に実行若しくは制御させるためのコンピュータプログラムやデータが格納されている。不揮発性メモリ１０７に格納されているコンピュータプログラムやデータは、システム制御部１０４による制御に従って適宜システムメモリ１０８にロードされ、システム制御部１０４による処理対象となる。
【００２３】
システム制御部１０４は、システムメモリ１０８やメモリ１０５に格納されているコンピュータプログラムやデータを用いて処理を実行することで、デジタルビデオカメラ１００全体の動作制御を行うと共に、デジタルビデオカメラ１００が行うものとして後述する各処理を実行若しくは制御する。
【００２４】
システムメモリ１０８は、不揮発性メモリ１０７からロードされたコンピュータプログラムやデータを格納するためのエリアや、システム制御部１０４が各種の処理を実行する際に用いるワークエリアを有するもので、例えばＲＡＭで構成される。即ち、システムメモリ１０８は、各種のエリアを適宜提供することができる。なお、図１では、システムメモリ１０８とメモリ１０５とは別個のメモリとして示しているが、１つのメモリで構成しても構わない。
【００２５】
システムタイマー１０９は、各種制御に用いる時間や、内蔵された時計の時間を計測する計時部として機能するものである。電源スイッチ１１５は、デジタルビデオカメラ１００全体の電源オン、電源オフを切り替えるためのスイッチである。
【００２６】
モード切替ボタン１１０は、システム制御部１０４の動作モードを切り替えるためのスイッチである。ユーザはモード切替ボタン１１０を操作することで、デジタルビデオカメラ１００の動作モードを、撮像部１０１により撮像された撮像画像をメモリ１０５に記録する記録モード、メモリ１０５に格納されている撮像画像を表示部１０６上で再生する再生モード、何れかに切り替えることができる。
【００２７】
トリガーボタン１１１は、システム制御部１０４に対して撮像指示及び撮像終了指示を入力するためのボタンであり、記録モードが設定されている場合に有効なボタンである。ユーザはトリガーボタン１１１を操作することで、撮像指示や撮像終了指示をデジタルビデオカメラ１００（システム制御部１０４）に対して入力することができる。
【００２８】
タッチパネル１１２は、表示部１０６に対する接触を検知可能なパネルであり、通常、タッチパネル１１２と表示部１０６とは一体的に構成することができる。例えば、タッチパネル１１２を光の透過が表示部１０６の表示を妨げないように構成し、表示部１０６の表示面の上層に取り付ける。そして、タッチパネル１１２上における入力座標と、表示部１０６上の表示座標とを対応付ける。これにより、ユーザはあたかも表示部１０６上に表示された画面を直接的に操作可能であるかのようなＧＵＩを構成することができる。システム制御部１０４は、タッチパネル１１２に対する以下の操作を検出可能である。
【００２９】
・  タッチパネル１１２を指やペンで触れたこと（以下、タッチダウンと称する）
・  タッチパネル１１２を指やペンで触れている状態であること（以下、タッチオンと称する）
・  タッチパネル１１２を指やペンで触れたまま移動していること（以下、ムーブと称する）
・  タッチパネル１１２へ触れていた指やペンを離したこと（以下、タッチアップと称する）
・  タッチパネル１１２に何も触れていない状態（以下、タッチオフと称する）
これらの操作や、タッチパネル１１２上に指やペンが触れている座標位置は、タッチパネル１１２からシステム制御部１０４に通知され、システム制御部１０４は、通知された情報に基づいてタッチパネル１１２上でどのような操作がなされたのかを判定することができる。
【００３０】
「ムーブ」についてはタッチパネル１１２上で移動する指やペンの移動方向についても、座標位置の変化に基づいて、タッチパネル１１２上の垂直成分・水平成分毎に判定できる。
【００３１】
また、タッチパネル１１２上を「タッチダウン」から一定の「ムーブ」を経て「タッチアップ」したとき、ストロークを描いたこととする。素早くストロークを描く操作を「フリック」と呼ぶ。「フリック」は、タッチパネル１１２上に指やペンを触れたままある程度の距離だけ素早く動かして、そのまま離すといった操作であり、言い換えればタッチパネル１１２上を指やペンではじくように素早くなぞる操作である。所定距離以上を、所定速度以上で「ムーブ」したことが検出され、そのまま「タッチアップ」が検出されると「フリック」が行なわれたと判定できる。また、所定距離以上を、所定速度未満で「ムーブ」したことが検出された場合は「ドラッグ」が行なわれたと判定するものとする。タッチパネル１１２は、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００３２】
外部Ｉ／Ｆ（インターフェース）１１８は、外部装置をデジタルビデオカメラ１００に接続するためのインターフェースを有し、例えば、表示画面を有する外部装置を接続することができる。なお、外部Ｉ／Ｆ１１８は、ＨＤＭＩで規格化されている機器制御信号(Consumer Electronics Control)により、デジタルビデオカメラ１００を外部から操作（ＣＥＣ操作）することができるようにするインターフェースも有する。
【００３３】
また、外部Ｉ／Ｆ１１８には、キーボードやマウスなど、ユーザが操作することでデジタルビデオカメラ１００に対して様々な指示や情報を入力することができるユーザインターフェースを接続することもできる。外部Ｉ／Ｆ１１８にこのようなユーザインターフェースを接続した場合、このユーザインターフェースは、上記のタッチパネル１１２の代わりに使用することができる。さらに、ユーザインターフェースとしてのマウスの移動やクリック動作を受けて、上記の「タッチダウン」、「ムーブ」、「タッチアップ」等の操作と同等の操作を実現させても構わない。
【００３４】
なお、外部Ｉ／Ｆ１１８は、ＵＳＢのインターフェースを有していても構わないし、赤外線のインターフェースを有していても構わないし、無線通信のインターフェースを有していても構わない。
【００３５】
電源制御部１１６は、電池検出回路、ＤＣ−ＤＣコンバータ、通電するブロックを切り替えるスイッチ回路等により構成され、電池の装着の有無、電池の種類、電池残量の検出を行う。また、電源制御部１１６は、その検出結果及びシステム制御部１０４の指示に基づいてＤＣ−ＤＣコンバータを制御し、必要な電圧を必要な期間、記録媒体１１４を含む各部へ供給する。
【００３６】
電源部１１７は、アルカリ電池やリチウム電池等の一次電池やＮｉＣｄ電池やＮｉＭＨ電池、Ｌｉ電池等の二次電池、ＡＣアダプタ等からなる。
【００３７】
Ｉ／Ｆ１１３は、メモリカードやハードディスク等の記録媒体１１４とのインターフェースである。記録媒体１１４は、メモリカードやハードディスク等の記録媒体であり、半導体メモリや磁気ディスク等から構成される。メモリ１０５やシステムメモリ１０８に格納するものとして説明したデータの一部若しくは全部をこの記録媒体１１４に格納するようにしても構わない。
【００３８】
例えば、メモリ１０５に格納された圧縮符号化済みの動画像や様々な付帯情報をファイルとして記録媒体１１４に格納しても構わない。記録媒体１１４に格納されている情報は、システム制御部１０４による制御に従って適宜Ｉ／Ｆ１１３を介してシステムメモリ１０８に転送され、システム制御部１０４による処理対象となる。
【００３９】
記録媒体１１４は、デジタルビデオカメラ１００に装着されるメモリカードやハードディスクドライブやディスクであってもよいし、デジタルビデオカメラ１００内に組み込まれたフラッシュメモリやハードディスクドライブであってもよい。
【００４０】
デジタルビデオカメラ１００の外部Ｉ／Ｆ１１８に外付けの表示装置２００を接続し、表示部１０６及び該表示装置２００に、すでにメモリ１０５や記録媒体１１４に記録したそれぞれの圧縮符号化済みの動画像に係る情報を一覧表示させた状態を図２に示す。図２では、メモリ１０５や記録媒体１１４に記録したそれぞれの圧縮符号化済みの動画像について、該圧縮符号化済みの動画像におけるあるフレームのみを復号してサイズを縮小させたサムネイル画像を生成し、それぞれのサムネイル画像を表示させている。この場合、表示部１０６に表示した画面と同じ画面の信号が、外部Ｉ／Ｆ１１８を介して表示装置２００に対して送出されていることになる。この画面が、動画像選択画面である。
【００４１】
このような状態において、デジタルビデオカメラ１００のシステム制御部１０４が行う処理について、図９のフローチャートを用いて説明する。なお、図９のフローチャートに従った処理は、再生モードが設定されている場合に実行されるものである。
【００４２】
ステップＳ１０１では、システム制御部１０４は、表示部１０６及び表示装置に一覧表示されているサムネイル画像のうち何れか１つを選択する選択指示を待機しており、該選択指示を検知すると、処理はステップＳ１０２に進む。
【００４３】
本実施形態では、表示部１０６及び表示装置に一覧表示されているサムネイル画像のうち何れか１つを選択する方法として以下のような方法を想定している。
（方法１）  ユーザが自身の指や把持しているペンで、タッチパネル１１２上の所望のサムネイル画像上をタッチすることで、該所望のサムネイル画像を選択する（図３）
（方法２）  ユーザがデジタルビデオカメラ１００用（画像処理装置用）のリモコンを操作して、表示部１０６及び表示装置に表示されているカーソルを所望のサムネイル画像上に移動させ、そこで決定指示を入力することで、該所望のサムネイル画像を選択する
（方法３）  ユーザが表示装置用（外部装置用）のリモコンを操作（ＣＥＣ操作）して、表示部１０６及び表示装置に表示されているカーソルを所望のサムネイル画像上に移動させ、そこで決定指示を入力することで、該所望のサムネイル画像を選択する
（方法１）でサムネイル画像を選択した場合、システム制御部１０４は、タッチパネル１１２上でサムネイル画像を選択した位置（タッチパネル１１２上で指やペンでタッチした位置）を検出しているので、（方法１）でサムネイル画像選択がなされたと判定することができる。
【００４４】
（方法２）でサムネイル画像を選択した場合、システム制御部１０４は、外部Ｉ／Ｆ１１８を介してデジタルビデオカメラ１００用のリモコンからのカーソル移動指示信号や決定指示信号を検知しているので、（方法２）でサムネイル画像選択がなされたと判定することができる。
【００４５】
（方法３）でサムネイル画像を選択した場合、システム制御部１０４は、外部Ｉ／Ｆ１１８を介して表示装置用のリモコンからのカーソル移動指示信号や決定指示信号を検知しているので、（方法３）でサムネイル画像選択がなされたと判定することができる。
【００４６】
ステップＳ１０２では、システム制御部１０４は、タッチパネル１１２に表示されているサムネイル画像のうち選択指示のあったサムネイル画像に対応する圧縮符号化済みの動画像を復号させるべく、次のような制御処理を行う。
【００４７】
先ず、システム制御部１０４はメモリ制御部１０３に対して選択指示のあったサムネイル画像に対応する圧縮符号化済みの動画像の取得を指示するので、メモリ制御部１０３は、取得指示された圧縮符号化済みの動画像をメモリ１０５から取得する。そしてメモリ制御部１０３は、取得した圧縮符号化済みの動画像をＣＯＤＥＣ１１９に対して送出するので、ＣＯＤＥＣ１１９は、メモリ制御部１０３から送出された圧縮符号化済みの動画像を復号して各フレームの画像を生成する。そしてＣＯＤＥＣ１１９は、該生成した各フレームの画像を順次映像処理部１０２に送出するので、映像処理部１０２は、ＣＯＤＥＣ１１９からの各フレームの画像に対して規定の画像処理を施す（例えば、各フレームの画像を規定のサイズに縮小する）。そして映像処理部１０２は、画像処理済みの各フレームの画像をメモリ制御部１０３に対して送出するので、メモリ制御部１０３は、映像処理部１０２から送出された各フレームの画像を順次表示部１０６に対して送出すると共に、外部Ｉ／Ｆ１１８を介して表示装置に対しても送出する。これにより、ユーザが選択したサムネイル画像に対応する動画像を表示部１０６及び表示装置に表示することができる。
【００４８】
ステップＳ１０３では、システム制御部１０４は、上記の（方法１）〜（方法３）の何れでサムネイル画像が選択されたのか、即ち、タッチパネル１１２、デジタルビデオカメラ１００用のリモコン、表示装置用のリモコン、の何れを用いてサムネイル画像選択がなされたのかを判断する。判断方法は上記の通りである。
【００４９】
この判断の結果、タッチパネル１１２を用いてサムネイル画像選択がなされた場合には、処理はステップＳ１０４に進む。また、デジタルビデオカメラ１００用のリモコンを用いてサムネイル画像選択がなされた場合には、処理はステップＳ１０５に進む。また、表示装置用のリモコンを用いてサムネイル画像選択がなされた場合には、処理はステップＳ１０６に進む。
【００５０】
ステップＳ１０４では、システム制御部１０４は、表示部１０６には操作パネルを表示し、表示装置には操作パネルを表示しない（表示装置には操作パネルのデータは送信しない）旨の設定を行う。ここで、操作パネルとは、様々なメニュー項目を含み、何れか１つの項目を指示することで、該項目に応じた設定や処理をシステム制御部１０４に実現させるためのものであり、１枚の画像として表示されるものである。
【００５１】
本ステップでは、表示部１０６に対するフラグの値を「１」（操作パネルは表示する）、表示装置に対するフラグの値を「０」（操作パネルは表示しない）と設定するが、同様の内容の設定であれば、フラグを用いた設定方法でなくても構わないし、フラグの値もこのような値に限るものではない。
【００５２】
ステップＳ１０５では、システム制御部１０４は、表示部１０６に操作パネルを表示し、表示装置にも操作パネルを表示する（表示装置に操作パネルのデータを送信する）旨の設定を行う。ここでは、表示部１０６に対するフラグの値を「１」（操作パネルは表示する）、表示装置に対するフラグの値を「１」と設定する。なお、ステップＳ１０５では、表示部１０６に操作パネルを表示しないように設定しても構わない。
【００５３】
ステップＳ１０６では、システム制御部１０４は、表示部１０６に操作パネルを表示し、表示装置にも操作パネルを表示する（表示装置に操作パネルのデータを送信する）旨の設定を行う。ここでは、表示部１０６に対するフラグの値を「１」（操作パネルは表示する）、表示装置に対するフラグの値を「１」と設定する。なお、ステップＳ１０６では、表示部１０６に操作パネルを表示しないように設定しても構わない。
【００５４】
即ち、ステップＳ１０３〜Ｓ１０６による処理により、デジタルビデオカメラ１００に対して操作入力を行った機器の種別を判別し、該判別の結果に応じて、表示装置の表示画面に対する操作パネルの出力の可否を制御している。
【００５５】
ステップＳ１０７では、システム制御部１０４は、システムタイマー１０９を制御して計時を開始させる。
【００５６】
ステップＳ１０８では、システム制御部１０４は、不揮発性メモリ１０７に格納されている操作パネルのデータを読み出し、該データに基づく操作パネルの画像を表示部１０６に対して出力する。これにより表示部１０６の表示画面における所定の位置には操作パネルが表示される。仮に、表示部１０６に対するフラグの値を「０」に設定すれば、システム制御部１０４は、表示部１０６への操作パネルの出力は行わない。
【００５７】
また、システム制御部１０４は、表示装置に対するフラグの値が「１」であれば、操作パネルの画像を外部Ｉ／Ｆ１１８を介して表示装置に対して出力する。これにより表示装置の表示画面における所定の位置には操作パネルが表示される。一方、システム制御部１０４は、表示装置に対するフラグの値が「０」であれば、表示装置に対する操作パネルの画像の出力は行わない。
【００５８】
例えば、図４（ａ）の左端に示す如く、ユーザがタッチパネル１１２上で所望のサムネイル画像を選択指示したとする。即ち、上記の（方法１）でもってサムネイル画像選択がなされたとする。このとき、システム制御部１０４は、選択指示したサムネイル画像に対応する動画像を表示部１０６の表示画面上及び表示装置の表示画面上に表示すると共に、表示部１０６に対するフラグの値を「１」、表示装置に対するフラグの値を「０」に設定する。然るに、図４（ａ）の中央に示す如く、表示部１０６の表示画面上には動画像に重ねて操作パネルが表示され、図４（ａ）の右端に示す如く、表示装置の表示画面上には動画像は表示されているものの操作パネルは表示されない。
【００５９】
（方法１）でサムネイル画像を選択したということは、ユーザは表示部１０６の表示画面を見ながらサムネイル画像を選択したことになる。このような場合、以降もこの表示部１０６の表示画面を見ながら操作パネルを操作する可能性が高く、表示装置の表示画面に操作パネルを表示する必要はない。特に、表示装置を、動画像選択画面や動画像の再生画面を第三者に閲覧させるための装置として使用する場合、表示装置の表示画面上に操作パネルを表示することは閲覧の観点でも邪魔になる。そこでこのような場合には、表示部１０６の表示画面上には操作パネルを表示するようにし、表示装置の表示画面上には、操作パネルは表示しないようにすることが好ましい。
【００６０】
また例えば、図４（ｂ）の左端に示す如く、ユーザがデジタルビデオカメラ１００用のリモコン４００を用いて所望のサムネイル画像を選択指示したとする。即ち、上記の（方法２）でもってサムネイル画像選択がなされたとする。このとき、システム制御部１０４は、選択指示したサムネイル画像に対応する動画像を表示部１０６の表示画面上及び表示装置の表示画面上に表示すると共に、表示部１０６に対するフラグの値を「１」、表示装置に対するフラグの値を「１」に設定する。然るに、図４（ｂ）の中央に示す如く、表示部１０６の表示画面上には動画像に重ねて操作パネルが表示され、図４（ｂ）の右端に示す如く、表示装置の表示画面上にも動画像に重ねて操作パネルが表示される。
【００６１】
（方法２）でサムネイル画像を選択したということは、ユーザは表示装置の表示画面を見ながらデジタルビデオカメラ１００用のリモコン４００を用いてサムネイル画像を選択したことになる。このような場合、以降もこの表示装置の表示画面を見ながら操作パネルを操作する可能性が高く、表示部１０６の表示画面には操作パネルを表示しても構わないし表示しなくても構わない。そこでこのような場合には、表示装置の表示画面上には操作パネルを表示するようにし、表示部１０６の表示画面上には、操作パネルは表示しても構わないし表示しなくても構わない。
【００６２】
また例えば、図４（ｃ）の左端に示す如く、ユーザが表示装置用のリモコン４０１を用いて所望のサムネイル画像を選択指示したとする。即ち、上記の（方法３）でもってサムネイル画像選択がなされたとする。このとき、システム制御部１０４は、選択指示したサムネイル画像に対応する動画像を表示部１０６の表示画面上及び表示装置の表示画面上に表示すると共に、表示部１０６に対するフラグの値を「１」、表示装置に対するフラグの値を「１」に設定する。然るに、図４（ｃ）の中央に示す如く、表示部１０６の表示画面上には動画像に重ねて操作パネルが表示され、図４（ｃ）の右端に示す如く、表示装置の表示画面上にも動画像に重ねて操作パネルが表示される。
【００６３】
（方法３）でサムネイル画像を選択したということは、ユーザは表示装置の表示画面を見ながら表示装置用のリモコン４０１を用いてサムネイル画像を選択したことになる。このような場合、以降もこの表示装置の表示画面を見ながら操作パネルを操作する可能性が高く、表示部１０６の表示画面には操作パネルを表示しても構わないし表示しなくても構わない。そこでこのような場合には、表示装置の表示画面上には操作パネルを表示するようにし、表示部１０６の表示画面上には、操作パネルは表示しても構わないし表示しなくても構わない。
【００６４】
ステップＳ１０９では、システム制御部１０４は、ステップＳ１０７における計時の開始から規定の時間（ここでは一例として４秒としている）が経過したか否かを判断する。この判断の結果、経過した場合には、処理はステップＳ１１０に進み、経過していない場合には、処理はステップＳ１１１に進む。
【００６５】
ステップＳ１１０では、システム制御部１０４は、表示部１０６に操作パネルを表示中であれば、該操作パネルを該表示部１０６の表示画面から消去して、該操作パネルを非表示にする。また、システム制御部１０４は、表示装置に操作パネルを表示中であれば、該表示装置への操作パネルの出力を停止させることで、表示装置において該操作パネルを非表示にする。
【００６６】
ステップＳ１１１ではシステム制御部１０４は、動画像の再生が終了したか否か、即ち、ステップＳ１０１で選択されたサムネイル画像に対応する圧縮符号化済みの動画像を復号することで得られる全てのフレームの画像の再生が終了したか否かを判断する。この判断の結果、終了した場合には、処理はステップＳ１１３に進み、終了していない場合には、処理はステップＳ１１２に進む。
【００６７】
ステップＳ１１２では、システム制御部１０４は、何らかの指示が入力されたのか否かを判断する。この判断の結果、入力された場合には、処理はステップＳ１０３に進む。この場合、ステップＳ１０３では、この何らかの指示が、タッチパネル１１２、デジタルビデオカメラ１００用のリモコン、表示装置用のリモコンの何れによってなされたのかを判断することになるのであるが、これは基本的には上記の通りである。すなわち、タッチパネル１１２を介して何らかの指示入力がなされた場合には、タッチパネル１１２上の指示位置を特定することができるため、このような場合には、タッチパネル１１２を介して指示入力がなされたと判断することができる。また、デジタルビデオカメラ１００用のリモコンを操作して指示入力を行った場合、この指示入力を示す信号が外部Ｉ／Ｆ１１８を介してシステム制御部１０４に通知されるので、この信号を解析することで、デジタルビデオカメラ１００用のリモコンを介して指示入力がなされたと判断することができる。また、表示装置用のリモコンを操作して指示入力を行った場合、この指示入力を示す信号が外部Ｉ／Ｆ１１８を介してシステム制御部１０４に通知されるので、この信号を解析することで、表示装置用のリモコンを介して指示入力がなされたと判断することができる。
【００６８】
例えば、動画の再生中に図５（ａ）の左端に示す如く、ユーザが所望の指示を入力すべくタッチパネル１１２上をタッチしたとする。この場合、システム制御部１０４は、タッチパネル１１２を介して操作入力がなされたものと判断し、表示部１０６に対するフラグの値を「１」、表示装置に対するフラグの値を「０」に設定する。然るに、図５（ａ）の中央に示す如く、表示部１０６の表示画面上には動画像に重ねて操作パネルが表示され、図５（ａ）の右端に示す如く、表示装置の表示画面上には動画像は表示されているものの操作パネルは表示されない。
【００６９】
また、例えば、動画の再生中に図５（ｂ）の左端に示す如く、ユーザが所望の指示を入力すべくデジタルビデオカメラ１００用のリモコン５００を用いて操作を行ったとする。この場合、システム制御部１０４は、リモコン５００を介して操作入力がなされたものと判断し、表示部１０６に対するフラグの値を「１」、表示装置に対するフラグの値を「１」に設定する。然るに、図５（ｂ）の中央に示す如く、表示部１０６の表示画面上には動画像に重ねて操作パネルが表示され、図５（ｂ）の右端に示す如く、表示装置の表示画面上にも動画像に重ねて操作パネルが表示される。
【００７０】
また、例えば、動画の再生中に図５（ｃ）の左端に示す如く、ユーザが所望の指示を入力すべく表示装置用のリモコン５０１を用いて操作を行ったとする。この場合、システム制御部１０４は、リモコン５０１を介して操作入力がなされたものと判断し、表示部１０６に対するフラグの値を「１」、表示装置に対するフラグの値を「１」に設定する。然るに、図５（ｃ）の中央に示す如く、表示部１０６の表示画面上には動画像に重ねて操作パネルが表示され、図５（ｃ）の右端に示す如く、表示装置の表示画面上にも動画像に重ねて操作パネルが表示される。
【００７１】
一方、ステップＳ１１２における判断の結果、入力されていないと判断した場合には、処理はステップＳ１０９に進む。ステップＳ１１３では、システム制御部１０４は、システムタイマー１０９を制御して、計時を停止させる。
【００７２】
このように、本実施形態によれば、デジタルビデオカメラ１００に対して操作入力を行った機器の種別に応じて、表示装置の表示画面に対する操作パネルの出力の可否を制御することができる。これにより、操作入力を行うユーザに対しては操作パネルを認識させることができ、また動画像の鑑賞を行うユーザに対しては、鑑賞の妨げを低減することが可能となる。
【００７３】
なお、本実施形態では、動画像選択画面にはそれぞれの動画像に対応するサムネイル画像を一覧表示させ、何れか１つのサムネイル画像を選択指示することで、該１つのサムネイル画像に対応する動画像を再生するようにしていた。しかし、動画像選択画面にはサムネイル画像の代わりに他の情報を表示するようにしても良く、それぞれの圧縮符号化済みの動画像を特定するための情報であれば、如何なる情報をサムネイル画像の代わりに表示しても構わない。
【００７４】
［第２の実施形態］
第１の実施形態では、デジタルビデオカメラ１００用のリモコンを用いてデジタルビデオカメラ１００に対する操作入力を行った場合には、表示部１０６に対するフラグ値及び表示装置に対するフラグ値を共に「１」に設定していた。本実施形態では、デジタルビデオカメラ１００用のリモコンを用いてデジタルビデオカメラ１００に対する操作入力を行った場合には更に、デジタルビデオカメラ１００と表示装置との間の接続が有線接続であるのかそれとも無線接続であるのかを判断する。そしてこの判断の結果に応じて、表示部１０６に対するフラグ値及び表示装置に対するフラグ値を決定する。以下では、第１の実施形態との差分について重点的に説明し、以下で特に触れない限りは、第１の実施形態と同様であるものとする。
【００７５】
本実施形態では、図９のフローチャートに従った処理の代わりに、図１０のフローチャートに従った処理を実行する。なお、図１０において、図９に示した処理ステップと同じ処理ステップには同じステップ番号を付しており、該処理ステップに係る説明は省略する。
【００７６】
ステップＳ２０５では、システム制御部１０４は、外部Ｉ／Ｆ１１８を介して表示装置と有線で接続されているのか、それとも無線で接続されているのか、を判断する。この判断技術は周知の技術である。この判断の結果、有線で接続されている場合には、処理はステップＳ２０６に進み、無線で接続されている場合には、処理はステップＳ２０７に進む。
【００７７】
ステップＳ２０６では、システム制御部１０４は、表示部１０６に操作パネルを表示し、表示装置にも操作パネルを表示する（表示装置に操作パネルのデータを送信する）旨の設定を行う。ここでは、表示部１０６に対するフラグの値を「１」（操作パネルは表示する）、表示装置に対するフラグの値を「１」と設定する。なお、ステップＳ２０６では、表示部１０６に操作パネルを表示しないように設定しても構わない。
【００７８】
図７（ａ）に示す如く、デジタルビデオカメラ１００と表示装置７５０とを有線で接続した場合、デジタルビデオカメラ１００は表示装置７５０の傍らに配置することになる。このような状況に応じて、デジタルビデオカメラ１００用のリモコン７００を用いて操作入力を行う場合、ユーザはデジタルビデオカメラ１００に対する操作入力を行ってはいるものの、実際には表示装置７５０の表示画面を見ながら操作を行っている。然るにこのような場合には少なくとも表示装置７５０にも操作パネルを出力する必要がある。
【００７９】
例えば、図６（ａ）ではデジタルビデオカメラ１００と表示装置とが有線接続されている状況を示しているのであるが、このような状況において、図６（ａ）の左端に示す如く、デジタルビデオカメラ１００用のリモコン６００を用いて操作入力を行ったとする。このような場合には、図６（ａ）の中央に示す如く、表示部１０６の表示画面上には操作パネルを表示し、図６（ａ）の右端に示す如く、表示装置の表示画面上にも操作パネルを表示する。
【００８０】
一方、ステップＳ２０７では、システム制御部１０４は、表示部１０６には操作パネルを表示し、表示装置には操作パネルを表示しない（表示装置には操作パネルのデータは送信しない）旨の設定を行う。ここでは、表示部１０６に対するフラグの値を「１」（操作パネルは表示する）、表示装置に対するフラグの値を「０」と設定する。
【００８１】
図７（ｂ）に示す如く、デジタルビデオカメラ１００と表示装置７５０とを無線で接続した場合、デジタルビデオカメラ１００は上記の有線接続時と比べて表示装置７５０からより離間した位置に配置することができ、故にユーザの手の届く範囲内に配置することができる。また、デジタルビデオカメラ１００と表示装置７５０とが無線通信、例えば赤外線通信を行う場合、デジタルビデオカメラ１００の赤外線受光部をリモコン７００の赤外線発光部に向ける必要がある。その場合、表示装置７５０の表示画面とデジタルビデオカメラ１００の表示画面とはそれぞれ異なる方向を向く可能性もある。
【００８２】
このような場合、ユーザはデジタルビデオカメラ１００を手元に置き、操作パネルを操作しやすいように表示部１０６の表示画面を自身に向けることができるので、表示部１０６の表示画面上には操作パネルを表示する。一方、このよう状況では、表示装置の表示画面上には操作パネルを表示する必要はないので、表示装置の表示画面上には操作パネルは表示しない。
【００８３】
例えば、図６（ｂ）ではデジタルビデオカメラ１００と表示装置とが無線接続されている状況を示しているのであるが、このような状況において、図６（ｂ）の左端に示す如く、デジタルビデオカメラ１００用のリモコン６００を用いて操作入力を行ったとする。このような場合には、図６（ｂ）の中央に示す如く、表示部１０６の表示画面上には操作パネルを表示し、図６（ｂ）の右端に示す如く、表示装置の表示画面上は操作パネルを表示しない。
【００８４】
なお、ステップＳ１０６では第１の実施形態と同様に、システム制御部１０４は、表示部１０６に操作パネルを表示し、表示装置にも操作パネルを表示する（表示装置に操作パネルのデータを送信する）旨の設定を行う。表示装置用のリモコンを用いた操作（ＣＥＣ操作）を行う場合、デジタルビデオカメラ１００と表示装置とを有線で接続する場合（図８（ａ））であっても、無線で接続する場合であっても（図８（ｂ））、表示装置用のリモコン８００の赤外線発光部は表示装置の赤外線受光部に向ける必要があり、その場合、ユーザは必然的に表示装置の表示画面を見て操作を行うことになる。然るに、ステップＳ１０６では少なくとも、表示装置にも操作パネルを表示するように設定する必要がある。
【００８５】
このように、本実施形態によれば、デジタルビデオカメラ１００用のリモコンを用いてデジタルビデオカメラ１００に対する操作入力を行った場合には、デジタルビデオカメラ１００と表示装置との間の接続が有線接続、無線接続の何れであるのかに応じて、表示装置に対する操作パネルの出力の可否を制御したので、より鑑賞の妨げを低減することが可能となる。
【００８６】
［第３の実施形態］
第１，２の実施形態では、操作パネルの出力の可否を制御していたが、本実施形態では表示部１０６及び表示装置の何れにも操作パネルは出力するものの、その透明度（α値）を制御する。以下では、第２の実施形態との差分について重点的に説明し、以下で特に触れない限りは、第２の実施形態と同様であるものとする。
【００８７】
本実施形態では、図１０のフローチャートに従った処理の代わりに、図１１のフローチャートに従った処理を実行する。なお、図１１において、図９及び図１０に示した処理ステップと同じ処理ステップには同じステップ番号を付しており、該処理ステップに係る説明は省略する。
【００８８】
ステップＳ３０４では、システム制御部１０４は、操作パネルの画像のα値を制御して該画像の透明度を不透明にした画像を、表示部１０６の表示画面上に表示する操作パネルの画像として生成する。また、システム制御部１０４は、操作パネルの画像のα値を制御して該画像の透明度を半透明（透明度は任意）にした画像を、表示装置の表示画面上に表示する操作パネルの画像として生成する。
【００８９】
ステップＳ３０６では、システム制御部１０４は、操作パネルの画像のα値を制御して該画像の透明度を不透明にした画像を、表示部１０６の表示画面上に表示する操作パネル、表示装置の表示画面上に表示する操作パネルの画像として生成する。
【００９０】
ステップＳ３０７では、システム制御部１０４は、操作パネルの画像のα値を制御して該画像の透明度を不透明にした画像を、表示部１０６の表示画面上に表示する操作パネルの画像として生成する。また、システム制御部１０４は、操作パネルの画像のα値を制御して該画像の透明度を半透明（透明度は任意）にした画像を、表示装置の表示画面上に表示する操作パネルの画像として生成する。
【００９１】
ステップＳ３０８では、システム制御部１０４は、操作パネルの画像のα値を制御して該画像の透明度を半透明（透明度は任意）にした画像を、表示部１０６の表示画面上に表示する操作パネルの画像として生成する。また、システム制御部１０４は、操作パネルの画像のα値を制御して該画像の透明度を不透明にした画像を、表示装置の表示画面上に表示する操作パネルの画像として生成する。
【００９２】
ステップＳ３１０では、システム制御部１０４は、表示部１０６の表示画面上に表示する操作パネルの画像を表示部１０６に対して出力する。また、システム制御部１０４は、表示装置の表示画面上に表示する操作パネルの画像を外部Ｉ／Ｆ１１８を介して表示装置に対して出力する。
【００９３】
このように、本実施形態によれば、デジタルビデオカメラ１００に対する操作入力を行った機器の種別や、デジタルビデオカメラ１００と表示装置との間の接続が有線か無線かに応じて、表示部１０６及び表示装置に出力する操作パネルの透明度を制御する。これにより、操作を行うユーザに対しても操作パネルを認識させることができ、また画像の鑑賞を行うユーザに対しては、半透過にすることで鑑賞の妨げを低減することが可能になる。さらに操作するユーザが変更した際にも操作パネルを十分に認識させることも可能となる。
【００９４】
［第４の実施形態］
第１〜３の実施形態は、再生表示する動画像を選択することを前提とした操作パネルの表示制御について説明を行った。しかし、このような操作パネルの表示制御はこのような前提以外であっても適用可能である。また、選択対象は、動画像以外であっても良く、静止画像やテキストであっても構わない。また、デジタルビデオカメラ１００は画像処理装置の一例であり、他の種の機器であっても構わない。
【００９５】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００９６】
１００：デジタルビデオカメラ  １０４：システム制御部
【図１】
2016009206.tif 000003
【図２】
2016009206.tif 000004
【図３】
2016009206.tif 000005
【図４】
2016009206.tif 000006
【図５】
2016009206.tif 000007
【図６】
2016009206.tif 000008
【図７】
2016009206.tif 000009
【図８】
2016009206.tif 000010
【図９】
2016009206.tif 000011
【図１０】
2016009206.tif 000012
【図１１】
2016009206.tif 000013